(57)【要約】【課題】ＣＭの有効性の調査や視聴率の調査を含む各種の調査を、簡易かつ高精度で実現できる放送調査システムを提供する。【解決手段】放送局から送信される映像データ、音声データ、及び文字データを受けるＴＶ受信機を、通信回線を通して、集計サーバに接続して構成する。文字データには、ＣＭ放送の開始時及び当該ＣＭ放送開始後の視聴者によるボタン操作時、又は、ＴＶチャンネルの新規選択時の、何れか一方又は双方のタイミングで、当該ＴＶ受信機の情報をＴＶ受信機から集計サーバに送信する送信処理をスクリプト言語で記載したテキストファイルが含まれている。【選択図】図２
0003165706.tif 000002
【実用新案登録請求の範囲】
【請求項１】
放送局から送信される映像データ、音声データ、及び文字データを受けるＴＶ受信機と、ＴＶ受信機と通信回線を通して接続される集計サーバとを有して構成され、
各ＴＶ受信機の情報を集計サーバに送信する送信処理をスクリプト言語で記載したテキストファイルを放送局から受信して記憶するＴＶ受信機の受信手段と、
前記テキストファイルの内容に基づき、ＣＭ放送の開始時及び当該ＣＭ放送開始後の視聴者によるボタン操作時、又は、ＴＶチャンネルの新規選択時の、何れか一方又は双方のタイミングで、ＴＶ受信機の情報を集計サーバに送信するＴＶ受信機の送信手段と、が設けられていることを特徴とする放送調査システム。
【請求項２】
前記文字データには、ＣＭ放送の放送開始時刻と、当該ＣＭ放送の関連情報とを対応付けたテーブルデータが含まれ、前記テーブルデータが、時間経過に対応して更新されつつ繰返し受信機に送信される請求項１に記載の放送調査システム。
【請求項３】
前記送信処理は、送信時刻データと、ＣＭ放送開始時かボタン操作時かを特定可能なフラグデータとを送信し、
前記集計サーバは、
前記送信時刻データに基づいてＣＭ放送を特定すると共に、前記フラグデータに基づいてＣＭ放送開始前の第一サンプル数を特定する第一手段と、
前記送信時刻データに基づいてＣＭ放送を特定すると共に、前記フラグデータに基づいてＣＭ放送開始後の第二サンプル数を特定する第二手段と、
第二サンプル数と第一サンプル数とに基づいて、ボタン操作率を算出する第三手段と、を有して構成されている請求項１又は２に記載の放送調査システム。
【請求項４】
前記送信処理は、送信時刻データと、ＴＶ受信機を特定するＩＤとを送信している請求項１又は２に記載の放送調査システム。
【請求項５】
前記ＩＤは、ＴＶ受信機の設置地域が特定されるよう構成され、
前記集計サーバは、
ＴＶ受信機の設置地域に基づいて調査対象サンプルを特定する第四手段と、
所定の調査期間における調査対象サンプルの中からＴＶ受信機が重複する重複サンプルを排除して、ユニークなサンプル数を特定する第五手段と、
ユニークなサンプル数と、前記設置地域の世帯数とを対比してＴＶ受信機が通信回線に接続されている接続率を算出する第六手段とを有して動作している請求項４に記載の放送調査システム。
【請求項６】
前記送信処理は、ＴＶチャンネルの新規選択時に実行されて、ＴＶチャンネルと送信時刻データとを特定可能な情報を送信しており、
前記集計サーバは、
送信時刻データに基づいて、所定時間帯の調査対象サンプルを特定する第七手段と、
所定時間帯の調査対象サンプルをＴＶチャンネル毎に集計することで、所定時間帯の視聴率を特定する第八手段と、を有して構成されている請求項１に記載の放送調査システム。
【考案の詳細な説明】
【技術分野】
【０００１】
本考案は、ＣＭの有効度の調査などＴＶに関する各種の調査を可能にした放送調査システムに関するものである。
【背景技術】
【０００２】
２０１１年７月にアナログ放送が廃止され、地上デジタル放送に一本化されることになっている。この地上デジタル放送によれば、映像データや音声データとは別に、文字データが送信可能である。
【先行技術文献】
【特許文献】
【０００３】
【特許文献１】特開２０１０−１７１６０６号公報
【特許文献２】特開２０１０−０８７８６８号公報
【特許文献３】特開２００９−２６０６５１号公報
【特許文献４】特開２００８−２５２６９０号公報
【特許文献５】特開２００７−３１８６２６号公報
【特許文献６】特開２００６−０９４３１６号公報
【特許文献７】特開２００５−３１１８１０号公報
【考案の概要】
【考案が解決しようとする課題】
【０００４】
文字データとしては、現在、天気情報、交通情報、災害情報、ニュース情報などが送信されているが、必ずしも、地上デジタル放送の特徴を生かし切ったものではない（特許文献１〜特許文献７）。
【０００５】
本考案は、上記の問題点に鑑みてなされたものであって、ＣＭの有効性の調査や視聴率の調査を含む各種の調査を、簡易かつ高精度で実現できる放送調査システムを提供することを目的とする。
【課題を解決するための手段】
【０００６】
上記の目的を達成するため、本考案に係る放送調査システムは、放送局から送信される映像データ、音声データ、及び文字データを受けるＴＶ受信機と、ＴＶ受信機と通信回線を通して接続される集計サーバとを有して構成され、各ＴＶ受信機の情報を集計サーバに送信する送信処理をスクリプト言語で記載したテキストファイルを放送局から受信して記憶するＴＶ受信機の受信手段と、前記テキストファイルの内容に基づき、ＣＭ放送の開始時及び当該ＣＭ放送開始後の視聴者によるボタン操作時、又は、ＴＶチャンネルの新規選択時の、何れか一方又は双方のタイミングで、ＴＶ受信機の情報を集計サーバに送信するＴＶ受信機の送信手段と、が設けられていることを特徴とする。
【０００７】
前記文字データには、ＣＭ放送の放送開始時刻と、当該ＣＭ放送の関連情報とを対応付けたテーブルデータが含まれ、前記テーブルデータが、時間経過に対応して更新されつつ繰返し受信機に送信されるのが好ましい。
【０００８】
前記送信処理は、典型的には、送信時刻データと、ＣＭ放送開始時かボタン操作時かを特定可能なフラグデータと、を送信し、前記集計サーバは、前記送信時刻データに基づいてＣＭ放送を特定すると共に、前記フラグデータに基づいてＣＭ放送開始前の第一サンプル数を特定する第一手段と、前記送信時刻データに基づいてＣＭ放送を特定すると共に、前記フラグデータに基づいてＣＭ放送開始後の第二サンプル数を特定する第二手段と、第二サンプル数と第一サンプル数とに基づいて、ボタン操作率を算出する第三手段と、を有して動作するのが好ましい。
【０００９】
前記送信処理は、送信時刻データと、ＴＶ受信機を特定するＩＤとを送信するのが好適である。ここで、前記ＩＤは、ＴＶ受信機の設置地域が特定されるよう構成されるのが好ましく、この場合、前記集計サーバは、ＴＶ受信機の設置地域に基づいて調査対象サンプルを特定する第四手段と、所定の調査期間における調査対象サンプルの中からＴＶ受信機が重複する重複サンプルを排除して、ユニークなサンプル数を特定する第五手段と、ユニークなサンプル数と、前記設置地域の世帯数とを対比してＴＶ受信機が通信回線に接続されている接続率を算出する第六手段と、を有して動作するのが効果的である。
【００１０】
前記送信処理は、ＴＶチャンネルの新規選択時に実行されて、ＴＶチャンネルと送信時刻データとを特定可能な情報を送信するのも好適であり、この場合、前記集計サーバは、送信時刻データに基づいて、所定時間帯の調査対象サンプルを特定する第七手段と、所定時間帯の調査対象サンプルをＴＶチャンネル毎に集計することで、所定時間帯の視聴率を特定する第八手段と、を有して動作するのが効果的である。
【考案の効果】
【００１１】
上記した本考案のシステムでは、ＴＶ受信機の情報を集計サーバに送信する送信処理をスクリプト言語で記載したテキストファイルが放送局からＴＶ受信機に送信されるので、視聴率調査などを簡易且つ高精度に実行することができる。
【図面の簡単な説明】
【００１２】
【図１】放送調査システムを含むデジタル放送システムの全体構成を示す概略図である。
【図２】民間放送局の放送設備を説明するブロック図である。
【図３】送信設備から送信されるデータ放送コンテンツを例示する概略図である。
【図４】デジタル受信機の回路構成と集計サーバとの関係を示すブロック図である。
【図５】ＢＭＬブラウザの動作を説明するフローチャートである。
【図６】集計サーバに収集されるデータを例示したものである。
【図７】集計サーバの動作を説明するフローチャートである。
【図８】変形構成を説明するフローチャートである。
【図９】ＣＭ連動情報を接笑みする図面である。
【考案を実施するための形態】
【００１３】
以下、実施例に基づいて本考案を詳細に説明する。図１は、本実施例の放送調査システムを含んだデジタル放送システムの全体図を示す概略図である。図示の通り、民間放送局Ａ，Ｂ，・・・，Ｎで生成された各トランスポートストリームＴＳ(Transport Stream)は、中継局（アップリンク設備）を経由して、地上デジタル放送波として各受信アンテナに向けて送信される。一方、各受信アンテナに接続された地上デジタル放送用の受信機ＴＶは、少なくともその一部が、インターネット回線ＮＥＴを経由して集計サーバＳＶに接続されている。
【００１４】
そして、本実施例では、受信機ＴＶから集計サーバＳＶに、適宜なタイミングで、必要な調査情報が伝送されることで各種の調査が実施される。実施される調査としては、各ＣＭの有効度調査や、各ＴＶ番組の視聴率調査を例示することができる。
【００１５】
図２は、図１に示す放送局Ａの放送設備の構成を図示したものであり、他の放送局も類似の構成を備えている。放送局Ａの放送設備は、放送番組やコマーシャルメッセージ（ＣＭ）などを一元管理する営業放送システム(Electronic Data Processing System)１と、営業放送システム１の下流に位置して放送進行データを作成すると共に放送データを一元管理するデータサーバ(data server)２と、データサーバ２から受けた放送進行データに基づいて放送制御データを作成する自動番組送出制御装置(APC：Automatic Program Controller)５と、番組サーバ９やＣＭバンク１０や字幕送出部６からのデータを受けて音声信号や映像信号や字幕信号を生成するベースバンド伝送部１１と、データ放送用の放送コンテンツを生成してデータ放送送出部７に出力するデータ放送制作部４と、べースバンド伝送部１１やデータ放送送出部７やＳＩ／ＥＰＧ部８からの信号を受けてトランスポートストリームＴＳを生成する符号化多重部１２などを有して構成されている。なお、ＳＩ(server information)は、当該放送局Ａを特定する情報であり、ＥＰＧ（Electronic Program Guide）は、番組の詳細を記載した電子番組案内である。
【００１６】
但し、上記した各部は、既存の設備であり、本実施例は、営業放送システム１からＣＭタイムテーブルを受けて、ＣＭ連動タイムテーブルを生成するタイムテーブル生成部３と、天気情報やニュース情報などのデータ放送情報だけでなく、ＣＭ連動情報を読み出してデータ放送用の放送コンテンツを生成するデータ放送制作部４を設けた点に大きな特徴がある。
【００１７】
ここで、ＣＭタイムテーブルとは、図２（ｂ）に示す通り、ＣＭの放送開始時刻と、放送すべきＣＭを特定するＣＭコードとを関連付けたテーブルデータを意味する。また、ＣＭ連動タイムテーブルは、ＣＭタイムテーブルのうち、ＣＭ連動情報が付加されるＣＭを特定したテーブルデータを意味する（図２（ｃ）参照）。
【００１８】
図２に示す例では、２０１０年９月２８日には、放送局Ａでは、１０時２８分３０秒と、１０時２８分４５秒と、１０時２９分００秒からＣＭ放送が開始される。そして、１０時２８分３０秒と１０時２９分００分から開始されるＣＭにはＣＭ連動情報が付加されるが、１０時２８分４５秒から開始されるＣＭには、ＣＭ連動情報が付加されないことになる。
【００１９】
ここで、ＣＭ連動情報とは、ＣＭ放送時に特定の操作ボタン（この実施例ではｄボタン）を押すことを条件に、ＴＶ画面に表示される文字画像情報であって、放送中のＣＭと密接に関連するＢＭＬ(Broadcast Mark-up Language)形式の情報を意味する。なお、このＣＭ連動情報は、ＣＭコードに関連付けてデータ放送制作部４に記憶されている。
【００２０】
図３は、定期的（例えば１分毎）に、繰返し送信されるデータ放送の放送コンテンツを例示したものである。図示の通り、天気情報、ニュース情報などの通常のデータ放送情報とは別に、ＣＭ連動情報１〜ＣＭ連動情報Ｎと、ＣＭ連動タイムテーブルとが、トランスポートストリームＴＳの一部として各受信機ＴＶに送信されている。
【００２１】
これらの情報は、ＢＭＬファイルとして、受信機のＣＰＵ（ＢＭＬブラウザ）に取得されるが、各ＴＶチャンネルの選局時に実行されるＢＭＬファイルには、図５（ｂ）〜図５（ｄ）に例示する処理を実行可能なＳＣＲＩＰＴが記載されている。なお、本実施例では、他の放送局Ｂ〜Ｎにおいても、同様の放送コンテンツが送信されることにする。
【００２２】
図示のＣＭ連動タイムテーブルには、２０１０年１１月２８日、１０時２９分００秒からＣＭコード（９ＡＣ１ＡＣＥ１２３）で特定されるＣＭが放送され、このＣＭにはＣＭコードに対応する連動情報（ＸＦＧ００１．ｂｍｌ）が付加されていることが規定されている。なお、ＣＭ連動タイムテーブルの内容は、事態の変化（放送時間の延長など）や、時間の経過に対応して更新され、ＣＭ連動情報は、それが表示される可能性が無くなった後は、送信されないのは勿論である。
【００２３】
図４は、地上デジタル放送を受信するデジタル受信機の構成を示すブロック図である。図示の通り、この受信機ＴＶは、アンテナ２０から受けた情報のうち特定のＴＶ局の情報を選択する選局部２１と、選局部２１から受けた信号を「０／１」のデジタルデータに復調するＯＦＤＮ(Orthogonal Frequency Division Multiplexing)復調部２２と、必要な誤り訂正を経てＴＳパケットを復元する誤り訂正部２３と、誤り訂正部２３から受けたＴＳパケットを、映像パケットと音声パケットとデータ放送パケットとに分離する多重分離部２４と、多重分離部２４から映像パケット及び音声パケットを受けて映像信号と音声信号を生成するＭＰＥＧ(moving Pictures Expert Group)デコード部２５と、ＭＰＥＧデコードされた映像信号に、字幕やデータ放送の画像などを重ね合わせる画像重畳部２６と、インターネット回線ＮＥＴを経由して集計サーバＳＶに接続される通信部２７と、前記した装置各部の動作を中心的に制御するＣＰＵを有する制御部２８と、必要な情報が一時保存される記憶部２９と、ＴＶ映像を出力する液晶ディスプレイなどの表示部３０と、音声信号を出力するスピーカ３１と、リモコン操作を認識するリモコン受信部３２と、を有して構成されている。なお、制御部２８は、多重分離部２４からデータ放送パケットを受けて、字幕やその他のデータ放送コンテンツを抽出し、これを表示部３０の適宜な位置に表示させるＢＭＬブラウザとして機能する。
【００２４】
図５は、制御部２８の動作のうち、データ放送コンテンツ（図３参照）の保存処理（図５（ａ））や、ＳＣＲＩＰＴ処理により実行されるリモコンのｄボタン操作時の処理(図５（ｂ）)などを例示したものである。
【００２５】
先ず、データ放送コンテンツの保存処理について、図５（ａ）に基づいて説明する。制御部２８は、図３のような一連のデータ放送コンテンツを多重分離部２４から受けると、その中に、保存すべき情報が存在するかを判定する（ＳＴ１）。そして、新規データ又は更新データが存在する場合には、これを記憶部２９に保存する（ＳＴ２）。
【００２６】
次に、制御部２８は、記憶部２９のＣＭ連動タイムテーブルを参照して、最も直近に放送が予定されているＣＭの放送開始時間を特定する。そして、現在時刻との時間差を内蔵タイマに設定することで、タイマ割込みの起動時刻を設定する（ＳＴ３）。なお、現在時刻は、例えば、制御部２９の内蔵時計に基づき決定される。但し、ＣＭ連動タイムテーブルに設定されているＣＭ開始時間と、受信したＣＭ情報（映像や音声）を復号して実際にＣＭ放映が開始される開始時間との時間差を考慮して、適宜な起動時刻に設定される。
【００２７】
何れにしても、ステップＳＴ３の処理で設定された起動時刻に達すると図５（ｂ）に示すタイマ割込みスクリプト処理が起動される。なお、記憶部２９の記憶内容は、ＴＶチャンネルの切り替え時に全て破棄されるので、ステップＳＴ３の処理の後に、ＴＶチャンネルを切り替えると、タイマ割込みが起動することはない。
【００２８】
タイマ割込み処理では、ｄボタンの押下を促進するテロップ画面を表示するべく画像重畳部２６に適宜なデータを出力する（ＳＴ４）。すると、表示部３０には、例えば、図９（ａ）に示すようなテロップ画面が表示されるので、次に、制御部２９は、集計サーバＳＶへの送信スクリプト処理（TRANSMIT）を実行して割込み処理を終える（ＳＴ５）。
【００２９】
図５（ｄ）は、送信スクリプト処理（TRANSMIT）の具体的内容を示すフローチャートである。制御部２８は、受信機に装着されているＢ−ＣＡＳカードからＢ−ＣＡＳ番号を取得すると共に、受信機から郵便番号情報を取得して記憶部２９に一時記憶する（ＳＴ２１，ＳＴ２２）。なお、Ｂ−ＣＡＳ番号は、当該受信機を一意に特定する２０桁の番号である。
【００３０】
次に、制御部２８は、表示中のＴＶチャンネルと、現在時刻とを把握する（ＳＴ２３，ＳＴ２４）。そして、ステップＳＴ２１〜ＳＴ２４の処理で取得した情報に、適宜なフラグ値ＦＬＧを付加して、全てのデータを集計サーバＳＶに送信してサブルーチン処理を終える（ＳＴ２５）。なお、タイマ割込み時（図５（ｂ））に実行される送信処理では、フラグ値ＦＬＧは、ｄボタン操作前であることを特定してＦＬＧ＝０となる。
【００３１】
ところで、現在時刻（制御部２８の送信時刻）の把握処理（ＳＴ２４）は、必ずしも必須ではなく、集計サーバＳＶによって把握されるデータ受信時刻を活用するのも好適である。このような構成を採ると、制御部２８の制御負担が軽減される。
【００３２】
次に、図５（ｂ）は、図１０（ａ）のようなテロップ画面に対応して視聴者がｄボタンを押下した場合のスクリプト処理を示すフローチャートである。以下、説明すると、ｄボタンが押下されたことを把握した制御部２８は、表示中のＴＶチャンネルに対応するＣＭ連動タイムテーブルを検索して該当データが存在するか否か判定する（ＳＴ１１，ＳＴ１２）。そして、該当データが検出されない場合には、文字放送の表示などの通常処理を実行する（ＳＴ１５）。
【００３３】
一方、ＣＭ連動タイムテーブルから該当データが検出されれば、図５（ｄ）に示す送信処理を実行する（ＳＴ１３）。なお、この時のフラグ値ＦＬＧは、ｄボタン操作後であることを特定してＦＬＧ＝１とされる。
【００３４】
次に制御部２８は、ＣＭ連動タイムテーブルに記載の時刻データとＣＭコードとで特定されるＣＭ連動情報を表示部３０に表示する（ＳＴ１４）。表示すべきＣＭ連動情報は、データ放送コンテンツの一部として先行して繰返し送信されるので（図３参照）、ＣＭコードに関連付けて、予め記憶部２９に記憶されている（図５（ｆ））。
【００３５】
図９（ｂ）は、ｄボタンの押下によって表示されるＣＭ連動情報を示しており、放映中のＣＭを、更に詳細に説明する画面となっている。なお、ＣＭ連動情報は、表示部３０を分割して表示されるが、所定のＣＭ放映時間が終われば、表示部３０は、もとの全画面表示に戻される。
【００３６】
以上の通り、この実施例では、ｄボタン押下前とｄボタン押下後に、各々、Ｂ−ＣＡＳ番号などの機器情報が集計サーバＳＶに送信される。図６は、集計サーバに収集された機器情報を例示したものであり、本実施例では、この機器情報に基づいて各種の調査を実施している。なお、時刻情報は、各受信機ＴＶから送信される構成と、集計サーバＳＶ自身が把握する構成の何れでも良いことは前記した通りである。また、図６では、Ｂ−ＣＡＳ番号情報が、２０桁の文字データ（２０バイト長データ）であるかの如く表示しているが、送信データ量を抑制する目的などのためデータバイト数を抑制するのが好適であるのは勿論である。
【００３７】
図７（ａ）は、ｄボタンの押下率を調査する集計サーバＳＶの処理手順を説明するフローチャートである。先ず、調査対象となるＣＭについて、これを放映するＴＶチャンネルと放映時間とが特定される（ＳＴ３１）。そして、図６のような集計データの中から、該当するＴＶチャンネルと時刻情報とに基づいて、必要な情報だけが抽出される。抽出データは、例えば、図７（ｂ）の通りであり、視聴日時と、Ｂ−ＣＡＳ番号と、ＦＬＧ値とが特定される。なお、図７（ｂ）は、説明の便宜上、抽出データを仮想的に図示したものであり、必ずしも、メモリの別領域に、抽出データを確保する必要はない。
【００３８】
次に、ＦＬＧ＝０であって、ｄボタン押下前のサンプル総数Ｄ０を集計すると共に、ＦＬＧ＝１であって、ｄボタンを押下したサンプル総数Ｄ１を集計する（ＳＴ３３）。そして、Ｄ１／Ｄ０×１００の演算によって、ＣＭに触発されてＣＭ連動データが呼び出した視聴者の割合（％）を特定することができる（ＳＴ３４）。ここで、ｄボタンの押下率が高い場合には、そのＣＭが、視聴者にとって注目度の高いものであったと推定することができる。
【００３９】
このように、図７（ａ）の集計処理によって、ＣＭ連動情報の付加されている全てのＣＭについて、ＣＭ連動情報が呼び出された割合を正確に特定することができ、このボタン押下率は、その後のＣＭ戦略に有効な判断材料となる。
【００４０】
また、図７（ｃ）に示すように、集計サーバＳＶの収集データを長期間（例えば1ヶ月）にわたって検索し、そこから検出されるユニークなＢ−ＣＡＳ番号を特定すれば、ＴＶ受信機がインターネットに接続されているインターネット接続率を地域毎に算出することもできる。
【００４１】
すなわち、地域を限定するべく郵便番号を特定し（ＳＴ３５）、その郵便番号を有する総サンプルの中から、ユニークなＢ−ＣＡＳ番号を抽出すれば（ＳＴ３６〜ＳＴ３７）、これが当該地域のインターネット接続数Ｔであると推定され、この推定数Ｔを当該地域の世帯数ＴＯＴＡＬで割れば、インターネット接続率を推定することができる。
【００４２】
なお、図５の実施例では、ｄボタンの押下前と、ｄボタン押下後に送信処理TRANSMIT（図５（ｄ））を実行したが、図８（ａ）に示すように、ＴＶチャンネルを新規に選局する毎に、送信処理TRANSMIT（図５（ｄ））を実行するのも好適である。なお、選局時には電源投入時も含まれる。
【００４３】
図８（ａ）の構成を採る場合には、図８（ｃ）に示すインターネット接続率を高精度に実行できるだけでなく、ＴＶ番組毎の視聴率を特定することもできる。
【００４４】
図８（ｄ）は、視聴率調査の手順を示すフローチャートであり、先ず、調査時間帯を特定し（ＳＴ４０）、設定された時間帯のサンプルデータを抽出する（ＳＴ４１）。図８（ｅ）は、抽出されたサンプルデータを例示したものである。
【００４５】
次に、抽出されたサンプルデータを、ＴＶチャンネル毎に集計すれば、番組毎の視聴率を計算することができる（ＳＴ４２，ＳＴ４３）。なお、抽出されたサンプルデータに、同一のＢ−ＣＡＳ番号が複数回検出される場合には、視聴した番組（ＴＶチャンネル）と、その番組の視聴時間とを特定して視聴率を算出するのは勿論である。
【００４６】
ところで、この処理では、特定のＴＶ局を選局した後、番組終了までに受信機の電源を切った場合にも、番組終了まで視聴したと評価される欠点がある。
【００４７】
そこで、より正確な視聴率調査を実施するためには、図８（ｂ）に示すように、短時間毎（例えば1分毎）に送信処理TRANSMITを実行するのが好ましい。なお、この構成では、通信量が増加するので、これを改善するためには、例えば、電源遮断時に割込み処理が起動するよう構成し、この電断時の割込み処理において電断フラグＦＬＧを設定して（ＦＬＧ＝３）、送信処理TRANSMITを実行するのも好適である。
【００４８】
以上、本考案の実施例について詳細に説明したが、具体的な記載内容は特に本考案を限定するものではない。例えば、実施例では、地上デジタル放送について説明したが、これに代えて、ＣＳデジタル放送、ＢＳデジタル放送、その他であっても良いのは勿論である。また、ＣＭ連動情報を呼び出す用途として、ｄボタンの操作を例示したが、ｄボタンに何ら限定されないのも当然である。
【符号の説明】
【００４９】
ＮＥＴ  通信回線
ＳＶ    集計サーバ
TRANSMIT  送信処理
【図１】
0003165706.tif 000003
【図２】
0003165706.tif 000004
【図３】
0003165706.tif 000005
【図４】
0003165706.tif 000006
【図５】
0003165706.tif 000007
【図６】
0003165706.tif 000008
【図７】
0003165706.tif 000009
【図８】
0003165706.tif 000010
【図９】
0003165706.tif 000011
【手続補正書】
【提出日】平成22年10月28日(2010.10.28)
【手続補正１】
【補正対象書類名】図面
【補正対象項目名】図９
【補正方法】変更
【補正の内容】
【図９】
0003165706.tif 000012